(57)【要約】【課題】親画面の重要な表示部分であるオブジェクトの視認性を低下させずにＰｉｎＰ表示を行う。【解決手段】複数の異なる映像を親画面及び子画面として表示可能な表示制御装置であって、親画面に含まれる位置情報を有するオブジェクトと前記子画面との重なりの検出結果に応じて子画面の表示形態を制御する映像位置調整手段１７０を備える。【選択図】  図１
2007088694.tif 000002
【特許請求の範囲】
【請求項１】
複数の異なる映像を親画面及び子画面として表示可能な表示制御装置であって、
前記親画面に含まれる位置情報を有するオブジェクトと前記子画面との重なりを検出する検出手段と、検出結果に応じて前記子画面の表示形態を制御する制御手段とを備える表示制御装置。
【請求項２】
前記制御手段は、前記オブジェクトの表示位置が変わる毎に前記子画面の表示形態を制御する請求項１記載の表示制御装置。
【請求項３】
前記制御手段は、前記オブジェクトと前記子画面とが重ならない位置を前記子画面の表示位置とする請求項１又は２記載の表示制御装置。
【請求項４】
前記制御手段は、前記オブジェクトと前記子画面との重なりが最も少ない位置を前記子画面の表示位置とする請求項１又は２記載の表示制御装置。
【請求項５】
前記制御手段は、前記オブジェクトと前記子画面とが重ならない大きさに前記子画面のサイズを縮小する請求項１又は２記載の表示制御装置。
【請求項６】
前記制御手段は、前記子画面の表示透過度を調整する請求項１又は２記載の表示制御装置。
【請求項７】
前記制御手段は、前記子画面を消去する請求項１又は２に記載の表示制御装置。
【請求項８】
前記制御手段は、表示形態の制御開始をオンスクリーンディスプレイとして予告表示する請求項１から７の何れか一項記載の表示制御装置。
【請求項９】
前記制御手段は、表示形態の制御の要否をオンスクリーンディスプレイとして確認した後に表示形態の制御を開始する請求項１から７の何れか一項記載の表示制御装置。
【発明の詳細な説明】
【技術分野】
【０００１】
本発明は、複数の異なる映像を親画面及び子画面としてＰinＰ表示可能な表示制御装置に関する。
【背景技術】
【０００２】
従来、モニタの表示領域内にソースの異なる複数の映像を表示することが可能な表示制御装置が普及している。その１つに、ピクチャー・イン・ピクチャー(Picture In Picture：ＰｉｎＰ)と呼ばれる映像表示技術があり、親画面と子画面とが重畳して表示される（例えば、特許文献１参照）。
【０００３】
例えば、第１映像でＤＶＤ−ＶＩＤＥＯの映像を再生しながら、第２映像でテレビのチャネル信号を表示させる場合、第１映像の四隅のいずれかにサイズを縮小した第２映像を重畳させるなどの配置が可能である。このようにＰｉｎＰが可能な表示制御装置では、使用者は1つのモニタで同時に２種類以上の映像を視聴することができる。
【特許文献１】特開昭６０−２５７６８２号公報  第１頁〜第２頁  図２
【発明の開示】
【発明が解決しようとする課題】
【０００４】
図１５は、従来の表示制御装置における２画面表示例を模式的に示す図である。光ディスクの映像１５１０が親画面として表示され、親画面には光ディスクに記録されている位置情報を持つオブジェクト１５２０が表示されている。更に、子画面１５３０が親画面に重畳して表示されている。
【０００５】
しかしながら、子画面が表示されたため、その下部に表示されていた親画面が遮蔽されて見えなくなっている。図に示すように、子画面がメニュー画面のメニュー（ハイライトオブジェクト）上に重畳されたりするような場合は、特に、視認に支障を生じる。つまり、従来のＰｉｎＰが可能な表示制御装置では、子画面を表示することにより、親画面の重要な表示部分が遮蔽されると、視認性を損なう恐れがあるという問題があった。
【０００６】
本発明は、親画面の重要な表示部分であるオブジェクトの視認性を低下させずにＰｉｎＰ表示を行うことができる表示制御装置を提供することを目的とする。
【課題を解決するための手段】
【０００７】
本発明の表示制御装置は、複数の異なる映像を親画面及び子画面として表示可能な表示制御装置であって、前記親画面に含まれる位置情報を有するオブジェクトと前記子画面との重なりを検出する検出手段と、検出結果に応じて前記子画面の表示形態を制御する制御手段とを備える。この構成によれば、子画面の表示形態を制御することによりオブジェクトの視認性低下を回避することが可能となる。
【０００８】
本発明において、前記制御手段は、前記オブジェクトの表示位置が変わる毎に前記子画面の表示形態を制御する。この構成によれば、オブジェクトの表示位置の変化に応じて子画面の表示形態を動的に制御することができる。
【０００９】
本発明において、前記制御手段は、前記オブジェクトと前記子画面とが重ならない位置を前記子画面の表示位置とする。この構成によれば、オブジェクトと子画面との重なりがないため、オブジェクトの視認性が損なわれることがない。
【００１０】
本発明において、前記制御手段は、前記オブジェクトと前記子画面との重なりが最も少ない位置を前記子画面の表示位置とする。この構成によれば、子画面によって遮蔽されるオブジェクトの領域を最小限に抑えることができる。
【００１１】
本発明において、前記制御手段は、前記オブジェクトと前記子画面とが重ならない大きさに前記子画面のサイズを縮小する。この構成によれば、子画面の縮小によりオブジェクトと子画面との重なりを解消することができる。
【００１２】
本発明において、前記制御手段は、前記子画面の表示透過度を調整する。この構成によれば、子画面の背景にあるオブジェクトの視認が可能となる。
【００１３】
本発明において、前記制御手段は、前記子画面を消去する。この構成によれば、子画面の消去によりオブジェクトの重なりが解消される。
【００１４】
本発明において、前記制御手段は、表示形態の制御開始をオンスクリーンディスプレイとして予告表示する。この構成によれば、子画面の表示形態の制御開始を認識することができる。
【００１５】
本発明において、前記制御手段は、表示形態の制御の要否をオンスクリーンディスプレイとして確認した後に表示形態の制御を開始する。この構成によれば、子画面の表示形態の制御の要否を選択することができる。
【発明の効果】
【００１６】
本発明によれば、子画面の表示形態を制御することによりオブジェクトの視認性低下を回避することが可能となる。
【発明を実施するための最良の形態】
【００１７】
以下、添付図面を参照しながら本発明の実施形態に係る表示制御装置について説明する。尚、以下の実施の形態では、位置情報を持つオブジェクトとして、光ディスク（ＤＶＤ−ＶＩＤＥＯ）のハイライトを例に用いて説明する。
【００１８】
図１は、本発明の実施の形態１における表示制御装置の構成を示すブロック図である。表示制御装置は、光ディスク１００内の情報を電気信号に変換する読み出し手段１１０、読み出し手段１１０で読み出した光ディスク１００内の位置情報を持つオブジェクトに関する管理情報をメモリ１２５に記憶する管理情報記憶手段１２０、読み出し手段１１０で読み出した光ディスク１００内の映像情報を映像信号へ復号する第１映像再生手段１３０、子画面で表示させるための別の映像信号を取得する映像信号取得手段１４０、映像信号取得手段１４０で取得した映像信号を再生する第２映像再生手段１５０、親画面及び子画面の２つの再生映像を合成して映像表示機器１９０に表示させるＰＩＰ合成手段１６０を含む。
【００１９】
ＰＩＰ合成手段１６０は、映像表示機器１９０のモニタ上における第２映像再生手段からの映像の表示形態を調整制御する映像位置調整手段１７０、第１映像と第２映像とを合成する映像合成表示手段１８０を含む。
【００２０】
管理情報記憶手段１２０は、光ディスク１００から読み出した映像データ内に、位置情報を持つハイライトオブジェクトが含まれている場合、ハイライトオブジェクトの位置情報を取得して、メモリ１２５に格納しておく。
【００２１】
図２は、光ディスクのデータ構成例を模式的に示す図である。ＤＶＤ−ＶＩＤＥＯが保持する映像データＶＯＢＵ２００は、ＶＯＢＵ２００の再生を制御するための情報群ＰＣＩ２０５を含み、更に、ＰＣＩ２０５には、再生映像に含まれるオブジェクトであるハイライトオブジェクトの情報群ＨＬＩ２１０が記録されている。
【００２２】
ハイライト情報ＨＬＩ２１０には、映像中のオブジェクトであるハイライトオブジェクトそれぞれの属性情報が記録されており、ＨＬＩ２１０内のボタン情報テーブルＢＴＮＩＴ２２０は、個々のハイライトオブジェクトの位置情報を含むボタン情報テーブル２３０（例えば、ＢＴＮＩ＃１など）で構成されている。
【００２３】
ＢＴＮＩ２３０には１個のハイライトオブジェクトに関する情報が記録されており、ＢＴＮＩ２３０中のボタン位置情報ＢＴＮ＿ＰＯＳＩ２４０が当該ハイライトの親画面上での表示位置を示す。親画面の左上隅を座標（０，０）とした場合のハイライトオブジェクト表示位置は、開始座標（開始Ｘ座標２６０，開始Ｙ座標２８０）、終了座標（終了Ｘ座標２７０，終了Ｙ座標２９０）で示される。以上のように、親画面のオブジェクトに関する位置情報は、管理情報として管理情報記憶手段１２０に記憶される。
【００２４】
図３は、本発明の実施の形態１における表示制御装置の、位置情報取得動作の処理手順を示すフローチャートである。管理情報記憶手段１２０は、読み出し手段１１０で読み込んだＶＯＢＵ２００からＰＣＩ２０５を取得する（ステップＳ３００）。次に、ＰＣＩ２０５内のＨＬＩ２１０を取得して（ステップＳ３１０）、ハイライト情報ＨＬＩの有無を確認し（ステップＳ３２０）、ハイライトオブジェクトが存在する場合は以降の位置情報取得処理へ移行する。一方、ハイライトオブジェクトが存在しない場合は処理を終了する。
【００２５】
ハイライトオブジェクトが存在する場合、管理情報記憶手段１２０は、ＨＬＩ２１０内のＢＴＮＩＴ２２０を取得し（ステップＳ３３０）、ＢＴＮＩＴ２２０から指定ハイライトのＢＴＮＩ（例えば、ＢＴＮＩ１＃２３０など）を取得する（ステップＳ３４０）。更に、取得したＢＴＮＩからＢＴＮ＿ＰＯＳＩ２４０を取得し（ステップＳ３５０）、ＢＴＮ＿ＰＯＳＩ２４０から開始Ｘ座標、開始Ｙ座標、終了Ｘ座標、終了Ｙ座標を取得する（ステップＳ３６０）。取得した位置情報はメモリ１２５に格納される（ステップＳ３７０）。
【００２６】
以上のステップＳ３４０からステップＳ３７０までの処理手順を、必要なハイライト数だけ繰り返すことにより（ステップＳ３８０）、親画面に表示されるハイライトオブジェクトの位置情報がすべて取得できる。
【００２７】
次に、映像表示動作について説明する。光ディスク１００を再生すると、管理情報が上述の手順で読み出し手段１１０で読み出され、管理情報記憶手段１２０内のメモリ１２５に記憶される。メモリ１２５に記憶された管理情報は、ＰＩＰ合成手段１６０内の映像位置調整手段１７０へ通知され、ハイライトオブジェクトの表示位置が認識できるようになる。
【００２８】
読み出し手段１１０で読み出された映像データは、第１映像再生手段１３０で映像信号に変換され、ＰＩＰ合成手段１６０へ転送される。ＰｉｎＰの子画面となる映像データは映像取得手段１４０で取得され、第２映像再生手段１５０で映像信号に変換され、ＰＩＰ合成手段１６０へ転送される。
【００２９】
転送された２つの映像信号は、ＰＩＰ合成手段１６０内の映像位置調整手段１７０及び映像合成表示手段１８０で合成される。映像合成表示手段１８０で合成された映像信号は、映像出力機器１９０から映像出力される。
【００３０】
図４は、本発明の実施の形態１における表示制御装置の、映像位置調整動作の処理手順を示すフローチャートである。ＰＩＰ合成手段１６０は、ハイライトオブジェクトが存在するか否かを判定し（ステップＳ４００）、ハイライトオブジェクトが存在する場合、図３のフローチャートに示した手順でハイライト位置情報を取得する（ステップＳ４１０）。取得した位置情報は、映像合成表示手段１８０へ通知される（ステップＳ４２０）。
【００３１】
ＰＩＰ合成手段１６０は、現在、子画面を表示中であるか否かの判定を行い（ステップＳ４３０）、表示中であれば子画面の表示位置情報を取得し（ステップＳ４４０）、子画面の表示位置とハイライトオブジェクトの表示位置が互いに重なりを生じるか否かを判定する（ステップＳ４５０）。表示が重なると判定された場合、映像位置調整手段１７０は、子画面の表示を調整するための処理（ステップＳ４６０）を実施する。処理の詳細については後述する。ステップＳ４３０において子画面の表示中でない場合、また、ステップＳ４５０において表示位置が重ならないと判定された場合、処理を終了する。
【００３２】
図５は、本発明の実施の形態１における表示制御装置の、子画面の表示を調整するための処理手順を示すフローチャートである。映像位置調整手段１７０は、取得した座標値に基づいて、ハイライトとの重なりを生じない子画面の配置位置を検索する（ステップＳ５００）。検索結果について重なりの有無を判定し（ステップＳ５１０）、重なりを生じない位置が検索された場合、当該位置を子画面の表示位置として取得する（ステップＳ５２０）。一方、重なりを生じない位置が検索されなかった場合、重なりの最も少ない表示位置を子画面の表示位置として取得する（ステップＳ５３０）。
【００３３】
図６は、本発明の実施の形態１における表示制御装置で、子画面の表示調整処理を行う際の画面表示例を模式的に示す図である。ＤＶＤ−ＶＩＤＥＯの表示において、ＤＶＤ−ＶＩＤＥＯに記録されている位置情報を持つハイライトオブジェクト（ハイライトA６０１、ハイライトB６０２、ハイライトC６０３）上に子画面６０５が重畳されないよう、子画面の配置が調整されている。
【００３４】
これは、ハイライトＡの表示開始位置６２０と表示終了位置６２５、ハイライトＢの表示開始位置６３０と表示終了位置６３５、ハイライトＣの表示開始位置６４０と表示終了位置６４５の座標値の間に、子画面６０５の表示開始位置６５０と表示終了位置６５５の座標値が含まれないように配置を決定することにより実現される。一方、例えば、子画面のサイズが大きい場合やハイライトが多い場合など、どのような配置を行ってもハイライトとの重なりを生じてしまうような場合は、重なり部分が最も少なくなるように子画面の表示位置が決定される。また、後述するように、子画面のサイズを縮小したり、透過度を上昇させたりするなど、その他の表示の調整が行われる場合もある。更に、場合によっては子画面を消去して表示を行わないようにすることもできる。
【００３５】
尚、図６の例では、親画面６００の表示開始位置６１０と表示終了位置６１５を基準として子画面の配置を調整したが、必ずしも親画面を基準にする必要はなく、映像表示機器の表示領域が親画面の範囲外に及ぶ場合などは、画面上の物理的な位置を基準として子画面の配置を決定してもよい。
【００３６】
実施の形態１によれば、ＤＶＤ−ＶＩＤＥＯを親画面として子画面を表示する際、親画面のハイライトに子画面が重ならないように、または重なり部分が最も少なくなるように子画面の配置が調整されるので、子画面の表示によって親画面の重要な表示部分の視認性が損われることを防止できる。
【００３７】
図７は、本発明の実施の形態２における表示制御装置の、子画面の表示を調整するための処理手順を示すフローチャートである。実施の形態１の処理手順と比較して、重なりを生じない位置が検索されなかった場合に、重なりを生じなくなる大きさまで子画面のサイズを縮小する（ステップＳ７００）という点が異なる。表示制御装置の構成やその他の動作については、実施の形態１の表示制御装置と同様であるので、説明を省略する。
【００３８】
図８は、本発明の実施の形態２における表示制御装置で、子画面の表示調整処理を行う際の画面表示例を模式的に示す図である。親画面８１０のハイライト８２０と重ならないように、子画面８３０の大きさが縮小され、小さなサイズで表示されている。
【００３９】
実施の形態２によれば、ＤＶＤ−ＶＩＤＥＯを親画面として子画面を表示する際、親画面のハイライトに子画面が重ならないように子画面のサイズが調整されるので、子画面の表示によって親画面の重要な表示部分の視認性が損なわれることを防止できる。
【００４０】
図９は、本発明の実施の形態３における表示制御装置の、子画面の表示を調整するための処理手順を示すフローチャートである。実施の形態１の処理手順と比較して、重なりを生じない位置が検索されなかった場合に、子画面の表示における透過度を上昇させる、即ち、半透明にして表示を行う（ステップＳ９００）という点が異なる。表示制御装置の構成やその他の動作については、実施の形態１の表示制御装置と同様であるので、説明を省略する。
【００４１】
図１０は、本発明の実施の形態３における表示制御装置で、子画面の表示調整処理を行う際の画面表示例を模式的に示す図である。親画面１０１０のハイライト１０２０との重なり部分を生じているが、子画面１０３０が半透明で表示されているため、ハイライトの表示内容を視認することができる。
【００４２】
実施の形態３によれば、ＤＶＤ−ＶＩＤＥＯを親画面として子画面を表示する際、親画面のハイライトに子画面が重なっていても子画面が半透明で表示されるので、子画面の表示によって親画面の重要な表示部分の視認性が損なわれることを防止できる。
【００４３】
図１１は、本発明の実施の形態４における表示制御装置の、子画面の表示を調整するための処理手順を示すフローチャートである。実施の形態１の処理手順と比較して、子画面の表示調整を行う前に、その旨を示すオンスクリーンディスプレイ(ＯＳＤ：OnScreenDisplay）を表示する（ステップＳ１１００）という点が異なる。表示制御装置の構成やその他の動作については、実施の形態１の表示制御装置と同様であるので、説明を省略する。
【００４４】
図１２は、本発明の実施の形態４における表示制御装置で、子画面の表示調整処理を行う際の画面表示例を模式的に示す図である。親画面の位置情報を持つオブジェクトの表示に子画面が重なる場合、映像位置調整手段１７０は、子画面の表示を調整する旨のオンスクリーンディスプレイ１２２０を予め表示する。
【００４５】
実施の形態４によれば、ＤＶＤ−ＶＩＤＥＯを親画面として子画面を表示する際、親画面のハイライトに子画面が重なる場合、子画面の表示を調整する旨のオンスクリーンディスプレイが表示されるので、使用者は、子画面の表示調整が行われることを予め認識することができる。
【００４６】
図１３は、本発明の実施の形態５における表示制御装置の、子画面の表示を調整するための処理手順を示すフローチャートである。実施の形態１の処理手順と比較して、子画面の表示調整を行う前に、子画面の表示調整を行うか否かを使用者に問うオンスクリーンディスプレイを表示し（ステップＳ１３００）、使用者からの指示があった場合にのみ子画面の表示調整へ移行する（ステップＳ１３１０）という点が異なる。表示制御装置の構成やその他の動作については、実施の形態１の表示制御装置と同様であるので、説明を省略する。
【００４７】
図１４は、本発明の実施の形態５における表示制御装置で、子画面の表示調整処理を行う際の画面表示例を模式的に示す図である。位置情報を持つオブジェクトと子画面とが重なって表示される場合、子画面の配置またはサイズの調整を行うか否かを問うオンスクリーンディスプレイ１４２０を表示し、使用者からの入力を待機する。使用者が指示した場合のみ子画面の配置調整が実施される。
【００４８】
実施の形態５によれば、ＤＶＤ−ＶＩＤＥＯを親画面として子画面を表示する際、親画面のハイライトに子画面が重なる場合、子画面の表示を調整するか否かを問うオンスクリーンディスプレイが表示されるので、子画面の表示調整を可否を使用者が選択することができる。
【００４９】
尚、上記実施の形態では、映像表示機器の画面上に２つの映像を同時に表示する場合について説明したが、３つ以上の映像を同時に表示する場合にも同様に適用可能である。また、上記実施の形態では、親画面としてＤＶＤ−ＶＩＤＥＯを再生する場合について説明したが、ＤＶＤに代表される光ディスクだけでなく、デジタルテレビ放送など、位置情報を持つデータを表示内容として含むあらゆる映像ソースが利用可能であることは言うまでもない。
【産業上の利用可能性】
【００５０】
本発明の表示制御装置は、子画面の表示形態を制御することによりオブジェクトの視認性低下を回避することが可能となるという効果を有し、複数の異なる映像を親画面及び子画面としてＰinＰ表示可能な表示制御装置等として有用である。
【図面の簡単な説明】
【００５１】
【図１】本発明の実施の形態１における表示制御装置の構成を示すブロック図
【図２】本発明の実施の形態１における表示制御装置で再生する光ディスクのデータ構成例を模式的に示す図
【図３】本発明の実施の形態１における表示制御装置の、位置情報取得動作の処理手順を示すフローチャート
【図４】本発明の実施の形態１における表示制御装置の、映像位置調整動作の処理手順を示すフローチャート
【図５】本発明の実施の形態１における表示制御装置の、子画面の表示を調整するための処理手順を示すフローチャート
【図６】本発明の実施の形態１における表示制御装置で、子画面の表示調整処理を行う際の画面表示例を模式的に示す図
【図７】本発明の実施の形態２における表示制御装置の、子画面の表示を調整するための処理手順を示すフローチャート
【図８】本発明の実施の形態２における表示制御装置で、子画面の表示調整処理を行う際の画面表示例を模式的に示す図
【図９】本発明の実施の形態３における表示制御装置の、子画面の表示を調整するための処理手順を示すフローチャート
【図１０】本発明の実施の形態３における表示制御装置で、子画面の表示調整処理を行う際の画面表示例を模式的に示す図
【図１１】本発明の実施の形態４における表示制御装置の、子画面の表示を調整するための処理手順を示すフローチャート
【図１２】本発明の実施の形態４における表示制御装置で、子画面の表示調整処理を行う際の画面表示例を模式的に示す図
【図１３】本発明の実施の形態５における表示制御装置の、子画面の表示を調整するための処理手順を示すフローチャート
【図１４】本発明の実施の形態５における表示制御装置で、子画面の表示調整処理を行う際の画面表示例を模式的に示す図
【図１５】従来の表示制御装置における２画面表示例を模式的に示す図
【符号の説明】
【００５２】
１００  光ディスク
１１０  読み出し手段
１２０  管理情報記憶手段
１２５  メモリ
１３０  第１映像再生手段
１４０  映像信号取得手段
１５０  第２映像再生手段
１６０  ＰＩＰ合成手段
１７０  映像位置調整手段
１８０  映像合成表示手段
１９０  映像表示機器
２００  ＶＯＢＵ映像データ
２０５  再生制御情報ＰＣＩ
２１０  ハイライト情報ＨＬ
２２０  ボタン情報テーブルＢＴＮＩＴ
２３０  ボタン情報テーブルＢＴＮＩ＃１
２４０  ボタン位置情報ＢＴＮ＿ＰＯＳＩ
２５０  ボタン位置情報ＢＴＮ＿ＣＯＬＮ
２６０  開始Ｘ座標
２７０  終了Ｘ座標
２８０  開始Ｙ座標
２９０  終了Ｙ座標
【図１】
2007088694.tif 000003
【図２】
2007088694.tif 000004
【図３】
2007088694.tif 000005
【図４】
2007088694.tif 000006
【図５】
2007088694.tif 000007
【図６】
2007088694.tif 000008
【図７】
2007088694.tif 000009
【図８】
2007088694.tif 000010
【図９】
2007088694.tif 000011
【図１０】
2007088694.tif 000012
【図１１】
2007088694.tif 000013
【図１２】
2007088694.tif 000014
【図１３】
2007088694.tif 000015
【図１４】
2007088694.tif 000016
【図１５】
2007088694.tif 000017